(57)【要約】【課題】建造物を構成する既存の山形鋼材にアンテナなどの付帯設備を山形鋼材自体に何らの加工を施すことなく、かつ緩みなく半永久的に固定することができる付帯設備取付装置を提供する。【解決手段】第１バンド部材３０１と第２バンド部材３０２を結合用ボルト・ナット３０４でバンド補助部材３０３に結合し、締め付け用ボルト・ナット３０５で第１バンド部材３０１の第１締め付け部３０１４と第２バンド部材３０２の第２締め付け部３０２４とが互いに接近する方向に締め付けることにより、バンド補助部材３０３の他端部３０３ａをアングル材１２の内側角部１２４に強力に押圧するとともに第１バンド部材３０１及び第２バンド部材３０２をアングル材１２の辺１２１の外側面に圧接させて第１及び第２バンド部材３０１、３０２、バンド補助部材３０３をアングル材１２に固定し一体化する構成にした。【選択図】図３
2018080482.tif 000002
【特許請求の範囲】
【請求項１】
建造物を構成する断面がＬ形を呈する両辺を有するアングル材に付帯設備を取り付けるための付帯設備取付装置であって、
前記付帯設備を前記アングル材に固定する固定具を備え、
前記固定具は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル部材の辺の外側面に沿い摺接させながら前記外側角部側へ移動し、前記バンド補助部材の端縁を前記アングル材の内側角部に押圧することより前記バンド補助部材を前記アングル材に一体に固定する締め付け用ボルト・ナットと、
前記バンド補助部材の延在端部に設けられ前記付帯設備が取り付けられる支持体とを有する、
ことを特徴とする付帯設備取付装置。
【請求項２】
建造物を構成する断面がＬ形を呈する両辺を有するアングル材に付帯設備を取り付けるための付帯設備取付装置であって、
前記付帯設備を前記アングル材に固定する固定具を備え、
前記固定具は、
前記アングル材の両辺をそれぞれの外側面側から挟持するように配置される２つのバンド部材と、
前記アングル材の内側に該アングル材の両辺が形成する角度を二分するように前記アングル材の内側角部から離間する方向に延在して配置されるバンド補助部材と、
前記アングル材から突出する前記バンド補助部材の延在端部と、前記各バンド部材の一端部とを結合する結合用ボルト・ナットと、
前記アングル材の両辺が形成する外側角部側で前記各バンド部材の他端部を互いに接近する方向に締め付けることにより前記各バンド部材を前記アングル部材の辺の外側面に沿い摺接させながら前記外側角部側へ移動し、前記バンド補助部材の端縁を前記アングル材の内側角部に押圧することより前記バンド補助部材を前記アングル材に一体に固定する締め付け用ボルト・ナットと、
前記２つのバンド部材の何れか一方の他端部に設けられ前記付帯設備が取り付けられる支持体とを有する、
ことを特徴とする付帯設備取付装置。
【請求項３】
前記各バンド部材は、前記一方の辺の幅より大きい長さを有しかつ当該一方の辺の外側面に摺接される挟持部と、前記バンド補助部材の延在端部に前記結合用ボルト・ナットにより結合される結合部と、前記挟持部と前記結合部とを連結する連結部と、前記連結部と反対に位置する前記挟持部の端部に設けられた締め付け部を有し、
前記締め付け用ボルト・ナットにより互いに接近する方向に締め付けられる前記各バンド部材の他端部は、前記締め付け部である、
ことを特徴とする請求項１または２記載の付帯設備取付装置。
【請求項４】
前記連結部と前記結合部とにわたって補強用リブが設けられ、
前記挟持部と前記締め付け部とにわたって補強用リブが設けられている、
ことを特徴とする請求項３記載の付帯設備取付装置。
【請求項５】
それぞれ断面がＬ形を呈する両辺を有する２つのアングル材を、それらアングル材の一方の辺同士間に隙間を介在させて互いに平行に配列されるように組み合わせてなるパラレル型山形鋼集成体を用いて構成される建造物に付帯設備を取り付けるための付帯設備取付装置であって、
前記付帯設備を前記２つのアングル材に固定する固定具を備え、
前記固定具は、
前記隙間を前記アングル材の長さ方向と直交する方向に挿通して配置された付帯設備取り付け用の支持部材と、
前記各アングル材の両辺の内側に前記アングル材の両辺が形成する角度を二分するようにそれぞれ配置される２つのバンド補助部材と、
前記各アングル材の両辺の内側から外側へ突出する前記各バンド補助部材の先端部と前記支持部材の一端部間にそれぞれ配置されその一端部が前記各バンド補助部材の先端部に結合用ボルト・ナットにより結合されその他端部が前記支持部材に対向する２つの第１バンド部材と、
前記各アングル材の両辺の内側から外側へ突出する前記各バンド補助部材の先端部で前記第１バンド部材が結合された面と反対の面にその一端部が前記結合用ボルト・ナットにより結合されその他端部が前記２つのアングル部材の外側に突出する前記支持部材の箇所に対向する２つの第２バンド部材と、
前記隙間から前記２つのアングル部材の外側に突出する前記支持部材の箇所にその一端部が結合用ボルト・ナットにより結合され前記各アングル材の他方の辺にそれぞれ密着されその他端部が前記第２バンド部材の他端部に対向する２つの第３バンド部材と、
前記２つの第１バンド部材の前記他端部を前記支持部材に近接する方向に締め付ける第１締め付けボルト・ナットと、
前記各第２バンド部材の他端部と前記各第３バンド部材の他端部を近接する方向に締め付ける第２締め付けボルト・ナットと、
前記バンド補助部材の延在端部に設けられ前記付帯設備が取り付けられる支持体とを有する、
ことを特徴とする付帯設備取付装置。
【請求項６】
前記第１〜第３バンド部材は、これらバンド部材の剛性を増大するための補強用リブを有することを特徴とする請求項５記載の付帯設備取付装置。
【発明の詳細な説明】
【技術分野】
【０００１】
本発明は、鉄塔などの既設の建造物にアンテナや避雷針などの付帯設備を取り付けるための付帯設備取付装置に関し、特に建造物を構成するアングル材を利用して付帯設備を建造物に取り付けるための付帯設備取付装置に関する。
【背景技術】
【０００２】
近年、地上または建物の屋上等に設置されている既設の鉄塔を、携帯電話等の通信用アンテナや非常無線放送用アンテナの設置または避雷針の設置に利用するようになってきている。
【０００３】
例えば、既設の鉄塔に通信用のアンテナを取り付ける公知の技術として、特許文献１の特開２００６−２２９３２７号公報「鉄塔用アンテナ取付金具及びそのアンテナ」取付方法が知られている。
【０００４】
特許文献１に示す鉄塔用アンテナ取付金具は、既設の鉄塔を構成する等辺の山形鋼材（アングル材）にアンテナを取り付けるためのもので、山形鋼材の横断面の外側面形状及び内側面形状のそれぞれに合わせて山形に折り曲げ加工した外側挟持部材と内側挟持部材を有する支持金具を備え、この支持金具は、外側挟持部材をＬ形鋼材の外側面に押し当て、かつ内側挟持部材を山形鋼材の内側面に押し当てた状態で、外側挟持部材と内側挟持部材の相対向する両端部をそれぞれのボルト・ナットにより締め付けることにより山形鋼材に保持され、そして、外側挟持部材に突設した部材に、アンテナを支持する被支持部材を複数箇所で固定する支持棒が取り付けられるように構成されている。
【０００５】
上記のような鉄塔用アンテナ取付金具においては、既設の鉄塔を構成する山形鋼材に穴あけ加工や溶接などの施行手段を要することなく、アンテナ取付用の支持金具を取り付けることが可能である。
しかしながら、上記の鉄塔用アンテナ取付金具は、外側挟持部材と内側挟持部材とで山形鋼材をその内外側面から挟み、外側挟持部材と内側挟持部材の相対向する両端部をボルト・ナットにより締め付けることでアンテナ取付用の支持金具を山形鋼材に保持する方式であるため、外側挟持部材と内側挟持部材の相対向する両端部が互いに接近する方向に弾性変形されるまでボルト・ナットを締め付けないと、外側挟持部材と内側挟持部材による山形鋼材への挟持力を確保できない。その結果、外側挟持部材と内側挟持部材による山形鋼材への締め付け力は山形鋼材の両辺の端縁部分に集中し、この両辺の端縁部分を除く山形鋼材の内外側面と外側挟持部材及び内側挟持部材との接触圧は両辺の端縁部分より大幅に低下する。このため、外側挟持部材及び内側挟持部材の経年変化によりその弾性力が低下してくると、山形鋼材の内外側面と外側挟持部材及び内側挟持部材との摩擦が低下しアンテナを安定して鉄塔に支持することができなくなり、アンテナの自重や強風などによりアンテナの位置がずれてしまうというおそれがある。
【先行技術文献】
【特許文献】
【０００６】
【特許文献１】特開２００６−２２９３２７号公報
【発明の概要】
【発明が解決しようとする課題】
【０００７】
本発明は、上述したような従来の不具合を解決するためになされたもので、既存の建造物を構成しているアングル材にアンテナや避雷針などの付帯設備を取り付ける際に、山形鋼材自体に何らの加工を施すことなく、現地で付帯設備を容易に取り付けることができ、併せてアングル材に対する付帯設備の取り付け保持力を半永久的に確保できるようにした付帯設備取付装置を提供することを目的とする。
【課題を解決するための手段】
【０００８】
上記目的を達成するため、本発明は、建造物を構成する断面がＬ形を呈する両辺を有するアングル材に付帯設備を取り付けるための付帯設備取付装置であって、前記付帯設備を前記アングル材に固定する固定具を備え、前記固定具は、前記アングル材の両辺をそれぞれの外側面側から挟持するように配置される２つのバンド部材と、前記アングル材の内側に該アングル材の両辺が形成する角度を二分するように前記アングル材の内側角部から離間する方向に延在して配置されるバンド補助部材と、前記アングル材から突出する前記バンド補助部材の延在端部と、前記各バンド部材の一端部とを結合する結合用ボルト・ナットと、前記アングル材の両辺が形成する外側角部側で前記各バンド部材の他端部を互いに接近する方向に締め付けることにより前記各バンド部材を前記アングル部材の辺の外側面に沿い摺接させながら前記外側角部側へ移動し、前記バンド補助部材の端縁を前記アングル材の内側角部に押圧することより前記バンド補助部材を前記アングル材に一体に固定する締め付け用ボルト・ナットと、前記バンド補助部材の延在端部に設けられ前記付帯設備が取り付けられる支持体とを有することを特徴とする。
【０００９】
また本発明は、建造物を構成する断面がＬ形を呈する両辺を有するアングル材に付帯設備を取り付けるための付帯設備取付装置であって、前記付帯設備を前記アングル材に固定する固定具を備え、前記固定具は、前記アングル材の両辺をそれぞれの外側面側から挟持するように配置される２つのバンド部材と、前記アングル材の内側に該アングル材の両辺が形成する角度を二分するように前記アングル材の内側角部から離間する方向に延在して配置されるバンド補助部材と、前記アングル材から突出する前記バンド補助部材の延在端部と、前記各バンド部材の一端部とを結合する結合用ボルト・ナットと、前記アングル材の両辺が形成する外側角部側で前記各バンド部材の他端部を互いに接近する方向に締め付けることにより前記各バンド部材を前記アングル部材の辺の外側面に沿い摺接させながら前記外側角部側へ移動し、前記バンド補助部材の端縁を前記アングル材の内側角部に押圧することより前記バンド補助部材を前記アングル材に一体に固定する締め付け用ボルト・ナットと、前記２つのバンド部材の何れか一方の他端部に設けられ前記付帯設備が取り付けられる支持体とを有することを特徴とする。
【００１０】
また本発明は、それぞれ断面がＬ形を呈する両辺を有する２つのアングル材を、それらアングル材の一方の辺同士間に隙間を介在させて互いに平行に配列されるように組み合わせてなるパラレル型山形鋼集成体を用いて構成される建造物に付帯設備を取り付けるための付帯設備取付装置であって、前記付帯設備を前記２つのアングル材に固定する固定具を備え、前記固定具は、前記隙間を前記アングル材の長さ方向と直交する方向に挿通して配置された付帯設備取り付け用の支持部材と、前記各アングル材の両辺の内側に前記アングル材の両辺が形成する角度を二分するようにそれぞれ配置される２つのバンド補助部材と、前記各アングル材の両辺の内側から外側へ突出する前記各バンド補助部材の先端部と前記支持部材の一端部間にそれぞれ配置されその一端部が前記各バンド補助部材の先端部に結合用ボルト・ナットにより結合されその他端部が前記支持部材に対向する２つの第１バンド部材と、前記各アングル材の両辺の内側から外側へ突出する前記各バンド補助部材の先端部で前記第１バンド部材が結合された面と反対の面にその一端部が前記結合用ボルト・ナットにより結合されその他端部が前記２つのアングル部材の外側に突出する前記支持部材の箇所に対向する２つの第２バンド部材と、前記隙間から前記２つのアングル部材の外側に突出する前記支持部材の箇所にその一端部が結合用ボルト・ナットにより結合され前記各アングル材の他方の辺にそれぞれ密着されその他端部が前記第２バンド部材の他端部に対向する２つの第３バンド部材と、前記２つの第１バンド部材の前記他端部を前記支持部材に近接する方向に締め付ける第１締め付けボルト・ナットと、前記各第２バンド部材の他端部と前記各第３バンド部材の他端部を近接する方向に締め付ける第２締め付けボルト・ナットと、前記バンド補助部材の延在端部に設けられ前記付帯設備が取り付けられる支持体とを有することを特徴とする。
【発明の効果】
【００１１】
本発明の付帯設備取付装置によれば、建造物を構成する既存の山形鋼材にアンテナや避雷針などの付帯設備を取り付ける際に、山形鋼材自体に何らの加工を施すことなく、かつ緩みなく付帯設備を建造物に容易かつ強固に取り付けることができ、併せて山形鋼材に対する付帯設備の取り付け保持力を半永久的に確保することができる。
【図面の簡単な説明】
【００１２】
【図１】本発明に係る付帯設備取付装置を用いて既存のアンテナ用鉄塔に避雷針を取り付けた場合の一例を示す概略説明図である。
【図２】図１に示すアンテナ用鉄塔を構成するアングル材に避雷針を取り付けた場合の第１の実施の形態を示す付帯設備取付装置の正面図である。
【図３】図２の矢印Ａ−Ａ線に沿う付帯設備取付装置の平面図である。
【図４】図２を矢印Ｂ−Ｂ線に沿う付帯設備取付装置の側面図である。
【図５】図２に示す付帯設備取付装置の一部の分解斜視図である。
【図６】本発明に係る付帯設備取付装置を用いて既存のアンテナ用鉄塔に送信及び受信用アンテナを取り付けた場合の他の例を示す一部の概略説明図である。
【図７】図６に示すアンテナ用鉄塔を構成するアングル材に送信及び受信用アンテナを取り付けた場合の第２の実施の形態を示す付帯設備取付装置の正面図である。
【図８】図７の矢印Ｃ−Ｃ線に沿う付帯設備取付装置の平面図である。
【図９】図８の矢印Ｄ−Ｄ線に沿う付帯設備取付装置の側面図である。
【図１０】図７の矢印Ｅ−Ｅ線に沿う要部の平面図である。
【図１１】本発明に係る付帯設備取付装置を用いて既存のアンテナ用鉄塔に避雷針を取り付けた場合の更に他の例を示す一部の概略説明図である。
【図１２】図１１に示すアンテナ用鉄塔を構成するパラレル型アングル材に避雷針を取り付けた場合の第３の実施の形態を示す付帯設備取付装置の正面図である。
【図１３】図１２の矢印Ｆ−Ｆ線に沿う付帯設備取付装置の平面図である。
【図１４】図１３を矢印Ｇ−Ｇ線に沿う付帯設備取付装置の側面図である。
【発明を実施するための形態】
【００１３】
（第１の実施の形態）
以下、本発明に係る付帯設備取付装置の第１の実施の形態について、図１〜図６を参照して説明する。
図１において、既存のアンテナ用鉄塔１０（請求項に記載した建造物に相当する）は、Ｌ形の両辺が等しい等辺山形鋼材からなり支柱となる４本のアングル材１２と、これらアングル材１２間に差し渡されるトラス構造材１３とを備えている。
アンテナ用鉄塔１０の最上部には通信用のパラボラアンテナ１４が設置され、さらに避雷針１５（請求項に記載した付帯設備に相当する）がアンテナ用鉄塔１０の上方に延在して設置されている。また、パラボラアンテナ１４の下方に位置してアンテナ用鉄塔１０に設けられたプラットホーム１６の周囲には複数の受信用アンテナ１７が設置されている。さらにプラットホーム１６の下方に位置してアンテナ用鉄塔１０に設けられたプラットホーム１８の周囲には複数の送信用アンテナ１９が設置されている。
【００１４】
付帯設備取付装置２０は、アンテナ用鉄塔１０のアングル材１２に避雷針１５を取り付けるためのもので、図２〜図５に示すように、避雷針１５をアングル材１２に固定するための固定具３０を備える。
固定具３０は、アングル材１２の両辺をそれぞれの外側面側から挟持するように左右対称に配置される第１バンド部材３０１及び第２バンド部材３０２と、バンド補助部材３０３と、複数の結合用ボルト・ナット３０４と、複数の締め付け用ボルト・ナット３０５と、支持体３０６とを含んで構成される。
本実施の形態では、第１バンド部材３０１及び第２バンド部材３０２が特許請求の範囲の２つのバンド部材に相当している。
【００１５】
第１バンド部材３０１は、アングル材１２への避雷針１５の固定に使用されるもので、鋼板材からなり、アングル材１２の一方の辺１２１の外側面と接するように一方の辺１２１の幅方向と直交する方向に延在して配置される。
かかる第１バンド部材３０１は、図２〜図５に示すように、アングル材１２の一方の辺１２１の外側面に圧接し、かつ一方の辺１２１の幅より大きい長さを有する第１挟持部３０１１と、第１挟持部３０１１の一端部に、当該一端部からバンド補助部材３０３の一端部に向け斜めに延在して設けられた第１連結部３０１２と、第１連結部３０１２の先端に設けられ、バンド補助部材３０３の一端部に結合される第１結合部３０１３と、第１連結部３０１２と反対に位置する第１挟持部３０１１の端部に設けられ第１バンド部材３０１に締め付け力を生じさせる第１締め付け部３０１４を有している。
また、第１バンド部材３０１の剛性を高めるために第１連結部３０１２と第１結合部３０１３との接合箇所には補強用リブ３０１５が第１連結部３０１２と第１結合部３０１３間に差し渡し状態に設けられている。さらに、第１バンド部材３０１の剛性を高めるために第１挟持部３０１１と第１締め付け部３０１４との接合箇所には補強用リブ３０１６が第１挟持部３０１１と第１締め付け部３０１４間に差し渡し状態に設けられている。
【００１６】
第２バンド部材３０２は、アングル材１２への避雷針１５の固定に使用されるもので、鋼板材からなり、アングル材１２の他方の辺１２２の外側面と接するように他方の辺１２２の幅方向と直交する方向に延在して配置される。
かかる第２バンド部材３０２は、図２〜図５に示すように、アングル材１２の他方の辺１２２の外側面に圧接し、かつ他方の辺１２２の幅より大きい長さを有する第２挟持部３０２１と、第２挟持部３０２１の一端部に、当該一端部からバンド補助部材３０３の一端部に向け斜めに延在して設けられた第２連結部３０２２と、第２連結部３０２２の先端に設けられバンド補助部材３０３の一端部に結合される第２結合部３０２３と、第２結合部３０２３と反対に位置する第２挟持部３０２１の端部に設けられ第２バンド部材３０２に締め付け力を生じさせる第２締め付け部３０２４を有している。
また、第２バンド部材３０２の剛性を高めるために第２連結部３０２２と第２結合部３０２３との連結部分には補強用リブ３０２５が第２連結部３０２２と第２結合部３０２３間に差し渡し状態に設けられている。さらに、第２バンド部材３０２の剛性を高めるために第２挟持部３０２１と第２締め付け部３０２４との連結部分には補強用リブ３０２６が第２挟持部３０２１と第２締め付け部３０２４間に差し渡し状態に設けられている。
【００１７】
バンド補助部材３０３は、支持体３０６を第１及び第２バンド部材３０１、３０２によりアングル材１２に固定する際の補助的機能を発揮させるとともに支持体３０６の支持に兼用されるもので、短冊状の鋼板材から成形される。
かかるバンド補助部材３０３は、図２、図３及び図４に示すように、アングル材１２の内側に両辺１２１と１２２が形成する角度を二分するようにして、アングル材１２の内側角部１２４から離間する方向に延在して配置される。
また、バンド補助部材３０３は、アングル材１２の内側角部１２４と反対のバンド補助部材３０３の一端部をバンド補助部材３０３の長手方向に延長することにより一体に設けられた連結部３０３１を有しており、この連結部３０３１には、付帯設備である避雷針１５を支持する支持体３０６が取り付けられている。
【００１８】
支持体３０６は避雷針１５を固定具３０に取り付けるためのもので、図２及び図３に示すように、所定長さの筒状の支柱３０６ａと、支柱３０６ａの下端外周に溶接により固定された補強用リブ３０６ｂ付きの取付部３０６ｃを有しており、この取付部３０６ｃを複数の高力ボルト・ナットからなるボルト・ナット３０７により連結部３０３１に取り付けることで、避雷針１５をアングル材１２に一体に固定するように構成されている。
【００１９】
結合用ボルト・ナット３０４は、アングル材１２の両辺１２１と１２２の内側で、バンド補助部材３０３の一端部を第１バンド部材３０１の第１結合部３０１３と第２バンド部材３０２の第２結合部３０２３とで挟持した状態で、これら両結合部３０１３及び３０２３をバンド補助部材３０３の一端部に固定し一体化するものであり、高力ボルト・ナットからなり、結合用のナット３０４ａのほかに、この結合用ナット３０４ａの緩みを防止するロックナット３０４ｂを備えている。
【００２０】
締め付け用ボルト・ナット３０５は、アングル材の１２の両辺１２１と１２２の内側と反対側、すなわち両辺１２１と１２２が形成する外側角部１２３で、第１バンド部材３０１の第１締め付け部３０１４と第２バンド部材３０２の第２締め付け部３０２４を互いに接近する方向に締め付けることにより第１バンド部材３０１をアングル材の１２の一方の辺１２１の外側面に沿い摺接させながらアングル材１２の外側角部１２３側へ移動するためのものである。
これと同時に、締め付け用ボルト・ナット３０５は、第２バンド部材３０２をアングル材の１２の他方の辺１２２の外側面に沿い摺接させながらアングル材１２の外側角部１２３側へ移動してバンド補助部材３０３の他端部３０３ｂをアングル材１２の内側角部１２４に押圧するためのものである。
さらに、締め付け用ボルト・ナット３０５は、第１バンド部材３０１の第１挟持部３０１１及び第２バンド部材３０２の第２挟持部３０２１をアングル材１２の両辺１２１と１２２の外側面に圧接することで第１バンド部材３０１、第２バンド部材３０２、バンド補助部材３０３をアングル材１２に固定するためのものである。
この締め付け用ボルト・ナット３０５は、高力ボルト・ナットからなり、締め付け用ナット３０５ａのほかに、この締め付け用のナット３０５ａの緩みを防止するロックナット３０５ｂを備えている。
【００２１】
次に、上記のように構成された付帯設備取付装置２０を用いて、避雷針１５をアングル材１２に固定する場合の一例について説明する。
まず、図５に示すように、バンド補助部材３０３の両面に第１バンド部材３０１の第１結合部３０１３及び第２バンド部材３０２の第２結合部３０２３を面対称に重ね合わせ、かつバンド補助部材３０３のボルト孔３０３ａに第１結合部３０１３のボルト孔３０１３ａと第２結合部３０２３のボルト孔３０２３ａを一致させる。
この状態でこれら３者のボルト孔に結合用ボルト・ナット３０４のボルトを挿通し、その挿通先端部分に結合用ナット３０４ａを螺合することにより第１バンド部材３０１と第２バンド部材３０２をバンド補助部材３０３に仮結合する。この仮結合状態では、結合用ボルト・ナット３０４のボルトを支点にしてバンド補助部材３０３から離間する方向に開き得る。
この場合、第１バンド部材３０１の第１挟持部３０１１を含む第１締め付け部３０１４と第２バンド部材３０２の第２挟持部３０２１を含む第２締め付け部３０２４との間隔を、アングル材１２の両辺１２１と１２２間の間隔より大きしておくことが、第１及び第２バンド部材３０１、３０２をアングル材１２に組み込むのに好ましい。
【００２２】
次に、第１バンド部材３０１と第２バンド部材３０２を結合用ボルト・ナット３０４のボルトを支点にして上述のように開いた状態で、バンド補助部材３０３の他端部３０３ｂをアングル材１２の内側角部１２４に押し当てる。
次いで、開いた状態の第１バンド部材３０１及び第２バンド部材３０２を、結合用ボルト・ナット３０４のボルトを支点にしてアングル材１２が両側面から挟持される方向に回動し、第１バンド部材３０１の第１挟持部３０１１をアングル材１２の一方の辺１２１の外側面に当接させ、第２バンド部材３０２の第２挟持部３０２１をアングル材１２の他方の辺１２２の外側面に当接させる。
この状態で、結合用ナット３０４ａを締め付けることにより第１バンド部材３０１と第２バンド部材３０２をバンド補助部材３０３に固定するとともに、第１挟持部３０１１をアングル材１２一方の辺１２１の外側面に押し当て、かつ第２挟持部３０２１をアングル材１２の他方の辺１２２の外側面に押し当てる。
その後、結合用ボルト・ナット３０４のボルトにロックナット３０４ｂを螺合し締め付けることにより第１バンド部材３０１及び第２バンド部材３０２をバンド補助部材３０３に確実に固定する。
【００２３】
次に、第１バンド部材３０１の第１締め付け部３０１４に形成したボルト孔３０１４ａ及び第２バンド部材３０２の第２締め付け部３０２４に形成したボルト孔３０２４ａに締め付け用ボルト・ナット３０５のボルトを挿通し、その挿通端部に締め付け用のナット３０５ａを螺合して第１締め付け部３０１４と第２締め付け部３０２４を互いに接近する方向に締め付けることにより、第１バンド部材３０１をアングル材１２の一方の辺１２１の外側面に沿い圧接させながらアングル材１２の外側角部１２３側へ摺動させ、同時に第２バンド部材３０２をアングル材の１２の他方の辺１２２の外側面に沿い圧接させながらアングル材１２の外側角部１２３側へ摺動させる。
これによりバンド補助部材３０３の他端部３０３ｂをアングル材１２の内側角部１２４に強力に押圧するとともに第１バンド部材３０１の第１挟持部３０１１及び第２バンド部材３０２の第２挟持部３０２１をアングル材１２一方の辺１２１の外側面及び他方の辺１２２の外側面をそれぞれ圧接させる。
これにより、第１及び第２バンド部材３０１、３０２、バンド補助部材３０３をアングル材１２に固定し一体化する。
その後、締め付け用ボルト・ナット３０５のボルトにロックナット３０５ｂを螺合し締め付けることにより固定具３０をアングル材１２に確実に固定をする。この場合、溶接による固定に匹敵する取り付け強度が得られたことが確認されている。
【００２４】
特に、図３に示すように、第１バンド部材３０１の第１締め付け部３０１４寄りの第１挟持部３０１１の一部分がアングル材１２の一方の辺１２１の外側面に部分的に圧接し、かつ第２バンド部材３０２の第２締め付け部３０２４寄りの第２挟持部３０２１の一部分がアングル材１２の他方の辺１２２の外側面に部分的に圧接し、これらの部分を除く他の部分では接しないように、アングル材１２の両辺１２１及び１２２の各外側面と、これにそれぞれ対向する第１バンド部材３０１の第１挟持部３０１１及び第２バンド部材３０２の第２挟持部３０２１とが全面に渡り接触することのない部分接触構造で、かつ締付力がアングル材１２の両辺角部に集中することが望ましい。
このような構造にすることにより、アングル材１２の両辺１２１及び１２２に対する第１及び第２挟持部３０１１、３０２１の摩擦抵抗が低減され、締め付け用ボルト・ナット３０５による第１及び第２バンド部材３０１、３０２の締め付け操作が容易になり、固定具３０をアングル材１２に確実に固定することが可能になる。
【００２５】
上述のようにアングル材１２に固定された固定具３０に避雷針１５の支持体３０６を取り付ける場合は、支柱３０６ａに設けた取付部３０６ｃを複数のボルト・ナット３０７によりバンド補助部材３０３の連結部３０３１に固定することにより行われる。
この場合、支持体３０６の支柱３０６ａをアングル材１２に固定するための固定具３０の数は１つに限らず、避雷針１５の機能や規模及び設置場所等に応じて複数用いられることもある。
また、アングル材１２に付帯設備取付装置２０を取り付ける手順は、上述した方式に限定されないことは勿論であり、付帯設備取付装置２０が取り付けられる鉄塔の環境や鉄塔への取り付け箇所等に応じて変更されるものである。
【００２６】
上記のような第１の実施の形態を示す付帯設備取付装置２０によれば、第１バンド部材３０１及び第２バンド部材３０２を結合用ボルト・ナット３０４によりバンド補助部材３０３に一体に結合し、この状態で、締め付け用ボルト・ナット３０５により第１バンド部材３０１の第１締め付け部３０１４と第２バンド部材３０２の第２締め付け部３０２４とが互いに接近する方向に締め付けることにより、第１バンド部材３０１をアングル材の１２の一方の辺１２１の外側面に沿い圧接させながら第１バンド部材３０１をアングル材１２の外側角部１２３側へ摺動させるとともに第２バンド部材３０２をアングル材の１２の他方の辺１２２の外側面に沿い圧接させながらアングル材１２の外側角部１２３側へ摺動させ、さらにバンド補助部材３０３の他端部３０３ｂをアングル材１２の内側角部１２４に強力に押圧するとともに第１バンド部材３０１の第１挟持部３０１１及び第２バンド部材３０２の第２挟持部３０２１をアングル材１２の一方の辺１２１の外側面及び他方の辺１２２の外側面にそれぞれ圧接させ、バンド補助部材３０３、第１及び第２バンド部材３０１、３０２をアングル材１２に固定し一体化する構成にした。
したがって、既存の鉄塔のアングル材１２に避雷針１５を取り付ける際に、アングル材１２自体に何らの加工を施すことなく、現地で避雷針１５を容易に取り付けることができ、併せてアングル材１２に対する避雷針１５の取り付け保持力を半永久的に確保することができる。
【００２７】
また、第１の実施の形態によれば、締め付け用ボルト・ナット３０５により第１バンド部材３０１の第１締め付け部３０１４と第２バンド部材３０２の第２締め付け部３０２４とが互いに接近する方向に締め付けるだけで固定具３０をアングル材１２に固定し得るため、鉄塔への避雷針１５の取り付け工事の効率化及び低コスト化を実現できる。
さらに、第１の実施の形態によれば、第１バンド部材３０１及び第２バンド部材３０２は補強用リブ３０１５、３０１６、３０２５、３０２６により補強されているため、第１及び第２バンド部材３０１、３０２の剛性が向上し、固定具３０とアングル材１２との一体化を、より強固にすることができる。
【００２８】
（第２の実施の形態）
次に、本発明に係る付帯設備取付装置の第２の実施の形態について、図６〜図１０を参照して説明する。
図６は、複数の送／受信用アンテナ４１を上下方向に間隔をおいて配設した円筒状のアンテナ取付支柱４２を既存のアンテナ用鉄塔１０を構成するアングル材１２に取り付ける場合の付帯設備取付装置を示すものである。
また、アンテナ取付支柱４２は、図６に示すように、アンテナ取付支柱４２の長さ方向の複数箇所で付帯設備取付装置５０によりアンテナ用鉄塔１０のアングル材１２に支持されている。
【００２９】
付帯設備取付装置５０は、上記第１の実施の形態で示した付帯設備取付装置２０と同様の固定具３０を備える。
この固定具３０はアンテナ取付支柱４２をアングル材１２に固定するためのもので、第１バンド部材３０１と、第２バンド部材３０２と、バンド補助部材３０３と、一対の結合用ボルト・ナット３０４と、一対の締め付け用ボルト・ナット３０５とを備え、さらに円筒状のアンテナ取付支柱４２を鉛直に支持するための支持体５２を含んで構成されている。また、第２の実施の形態においても第１の実施の形態と同様に、第１バンド部材３０１及び第２バンド部材３０２が特許請求の範囲の２つのバンド部材に相当している。
特に、第２の実施の形態において第１の実施の形態と異なる点は、第１バンド部材３０１の第１締め付け部３０１４の端部を当該第１締め付け部３０１４の長手方向に所定の長さ延長することにより第１締め付け部３０１４に一体に形成された連結部３０１４Ａと、この連結部３０１４Ａを介して固定具３０にアンテナ取付支柱４２を取り付けるための支持体５２を有するところにある。
さらに、連結部３０１４Ａは、第１バンド部材３０１の補強用リブ３０１６と一体化された補強用リブ３０１６Ａを有している。
【００３０】
この第２の実施の形態に示す付帯設備取付装置５０の固定具３０については、上記第１の実施の形態に示す場合と同一または類似する構成要素には同一の符号を付して、その構成説明は省略し、第１の実施の形態と異なる支持体５２について説明する。
【００３１】
支持体５２は、図７〜図１０に示すように、一対の連結部材５２１Ａ及び５２１Ｂと、一対の支柱挟持部材５２２Ａ及び５２２Ｂを備える。
一対の連結部材５２１Ａ及び５２１Ｂは、アンテナ取付支柱４２を鉛直に支持し得るようにアングル材１２に固定した固定具３０とアンテナ取付支柱４２との間を連結するためのもので、横断面がＬ型を呈するアングル鋼材からなる。そして、連結部材５２１Ａ及び５２１Ｂの長さはアングル材１２と鉛直に配置されるアンテナ取付支柱４２との間の距離に応じて設定されている。
【００３２】
一対の支柱挟持部材５２２Ａ及び５２２Ｂは、連結部材５２１Ａ及び５２１Ｂの固定具３０への結合側と反対の先端にアンテナ取付支柱４２を取り付けるためのもので、アンテナ取付支柱４２の外径の半円弱の輪郭と一致する形状に成形された円弧部５２２Ａ１及び５２２Ｂ１と、円弧部５２２Ａ１及び５２２Ｂ１の周方向の一端にそれぞれ設けられ連結部材５２１Ａ及び５２１Ｂの先端に結合される結合片５２２Ａ２及び５２２Ｂ２と、円弧部５２２Ａ１及び５２２Ｂ１の周方向の他端にそれぞれ設けられ円弧部５２２Ａ１及び５２２Ｂ１をアンテナ取付支柱４２の外周に押圧して支柱挟持部材５２２Ａ及び５２２Ｂをアンテナ取付支柱４２に固定する締め付け片５２２Ａ３及び５２２Ｂ３を有している。
【００３３】
次に、上記のように構成された付帯設備取付装置５０を用いて、送／受信用アンテナ４１をアングル材１２に設置する場合の一例について説明する。
この実施例において付帯設備取付装置５０を構成する固定具３０をアングル材１２に固定する場合は、第１の実施の形態で述べた場合と同様な手順で行われるので、その説明は省略し、固定具３０に支持体５２を組付け、さらに支持体５２にアンテナ取付支柱４２を取り付ける場合について説明する。
【００３４】
図７及び図８に示すように、第１バンド部材３０１の第１締め付け部３０１４の端部を延長することで形成された連結部３０１４Ａの表面である一方の面に一方の連結部材５２１Ａの接合端を重ね合わせ、かつ一方の連結部材５２１Ａに穿設されている図示省略の複数のボルト挿通孔に連結部材５２１Ａの接合端に同一間隔で穿設されている図示省略の複数のボルト挿通孔を一致させる。さらに連結部３０１４Ａの裏面である他方の面に隙間調整用のフイーラパネル５２３を重ね合わせ、かつ連結部材５２１Ａの各ボルト挿通孔にフイーラパネル５２３に同一間隔で穿設されている図示省略の複数のボルト挿通孔を一致させる。さらにフイーラパネル５２３介して他方の連結部材５２１Ｂの接合端を重ね合わせ、かつ他方の連結部材５２１Ｂに同一間隔で穿設されている図示省略の複数のボルト挿通孔を一致させる。この状態で、互いに一致している各ボルト挿通孔にダブルナット付きの固定ボルト５２４をそれぞれ挿通し、これらのナットを締め付けることにより連結部材５２１Ａ及び連結部材５２１Ｂを連結部３０１４Ａに一体に固定する。
【００３５】
次いで、連結部材５２１Ａ及び５２１Ｂの長手方向の中間箇所において、連結部材５２１Ａと５２１Ｂの間に両者の間隔調整と補強を兼ねたフイーラ材５２５を挿入し、このフイーラ材５２５の挿入箇所を、フイーラ材５２５、連結部材５２１Ａ、５２１Ｂを貫通するダブルナット付きの固定ボルト５２６により締め付けて一体化する。
【００３６】
次に、支柱挟持部材５２２Ａの円弧部５２２Ａ１及び支柱挟持部材５２２Ｂの円弧部５２２Ｂ１をアンテナ取付支柱４２の外周に左右両側から押し当てて、両方の結合片５２２Ａ２と５２２Ｂ２を重ね合わせる。この状態で、両結合片５２２Ａ２及び５２２Ｂ２に穿設されている図示省略の複数のボルト挿通孔にダブルナット付きの固定ボルト５２７をそれぞれ挿通し、そのナットを締め付けることにより支柱挟持部材５２２Ａ及び支柱挟持部材５２２Ｂをアンテナ取付支柱４２に仮止めする。その後、支柱挟持部材５２２Ａの締め付け片５２２Ａ３及び支柱挟持部材５２２Ｂの締め付け片５２２Ｂ３に穿設されている図示省略の複数のボルト挿通孔にダブルナット付きの固定ボルト５２８をそれぞれ挿通し、これらのナットを締め付けることにより支柱挟持部材５２２Ａ及び支柱挟持部材５２２Ｂをアンテナ取付支柱４２に固定する。
【００３７】
次に、支柱挟持部材５２２Ａの結合片５２２Ａ２及び支柱挟持部材５２２Ｂの結合片５２２Ｂ２を連結部材５２１Ａと５２１Ｂとの先端部間に差し込み、両結合片５２２Ａ２及び結合片５２２Ｂ２に穿設されている図示省略の複数のボルト挿通孔を連結部材５２１Ａ及び５２１Ｂに穿設されている図示省略の複数のボルト挿通孔に一致させた後、これらのボルト挿通孔にダブルナット付きの固定ボルト５２９をそれぞれ挿通し、これらのナットを締め付けることにより支柱挟持部材５２２Ａ及び支柱挟持部材５２２Ｂを連結部材５２１Ａと５２１Ｂに固定する。これによりアンテナ取付支柱４２は連結部材５２１Ａと５２１Ｂ及び固定具３０を介して鉄塔１０のアングル材１２に取り付けられる。その後、鉛直に支持されたアンテナ取付支柱４２には、図６に示すように複数の送／受信用アンテナ４１を上下方向に間隔をおいて取り付けられる。
【００３８】
本実施の形態におけるアンテナ取付支柱４２は、長手方向の複数箇所を付帯設備取付装置５０によりアングル材１２に固定することで鉄塔１０にされるものである。この場合、固定具３０と支柱挟持部材５２２Ａ、５２２Ｂとを連結する連結部材５２１Ａ及び５２１Ｂの長さは、アンテナ取付支柱４２のアングル材１２への複数の固定箇所におけるアングル材１２とアンテナ取付支柱４２との間の距離に応じてそれぞれ設定される。これにより、上方に向け傾斜するアングル材１２に対してアンテナ取付支柱４２を鉛直にかつ確実に固定することが可能になる。
【００３９】
上記のような第２の実施の形態に示す付帯設備取付装置５０によれば、第１の実施の形態を示す場合と同様の固定具３０を用いることにより、既存鉄塔のアングル材１２にアンテナ取付支柱４２を含む送／受信用アンテナ４１を取り付ける際に、アングル材１２自体に何らの加工を施すことなく、現地で容易に取り付けることができ、併せてアングル材１２に対して送／受信用アンテナ４１を含むアンテナ取付支柱４２の取り付け保持力を半永久的に確保することができる。
さらに、本実施の形態によれば、第１の実施の形態と同様に既存鉄塔への送／受信用アンテナ４１を含むアンテナ取付支柱４２の取り付け工事の効率化及び低コスト化を実現できるとともに、第１の実施の形態と同様に固定具３０とアングル材１２との一体化を、より強固にすることができる。
【００４０】
（第３の実施の形態）
以下、本発明に係る付帯設備取付装置の第３の実施の形態について、図１１〜図１４を参照して説明する。
第３の実施の形態は、図１１に示すように、既存のアンテナ用鉄塔に設けられたプラットホーム１６の斜め支持材７０に付帯設備取付装置６０を用いて避雷針１５を取り付ける場合を示している。
【００４１】
プラットホーム１６を支持する斜め支持材７０は、図１３に示すように、Ｌ形の両辺を有する第１アングル材７０１と第２アングル材７０２とを、この第１アングル材７０１の一方の辺７０１Ａと第２アングル材７０２の一方の辺７０２Ａ同士が互いに近接して平行に配列されるように組み合わせてなるパラレル型山形鋼集成体によって構成されている。
また、付帯設備取付装置６０は、アンテナ用鉄塔１０の斜め支持材７０に避雷針１５を取り付けるもので、避雷針１５を斜め支持材７０に固定するための固定具８０を備える。この固定具８０は、支持部材８０１と、第１バンド部材８０２と、第２バンド部材８０３と、第３バンド部材８０４と、第４バンド部材８０５と、第５バンド部材８０６と、第６バンド部材８０７と、第１バンド補助部材８０８と、第２バンド補助部材８０９と、第１結合用ボルト・ナット８１０と、第２結合用ボルト・ナット８１１と、第３結合用ボルト・ナット８１２と、第１締め付け用ボルト・ナット８１３と、第２締め付け用ボルト・ナット８１４と、第３締め付け用ボルト・ナット８１５とを含んで構成される。
【００４２】
図１３に示すように、固定具８０は、第１及び第２アングル材７０１及び７０２の周囲を取り囲むように配置された第１〜第６バンド部材８０２〜８０７と、第１及び第２バンド連結用補助部材８０８及び８０９と、第１〜第３結合用ボルト・ナット８１０〜８１２と、第１〜第３締め付け用ボルト・ナット８１３〜８１５とを用いて避雷針１５の支持部材８０１を第１及び第２アングル材７０１及び７０２に固定するものであり、その詳細は図１２〜図１４に基づき以下に説明する。
なお、第１バンド部材８０２と第３バンド部材８０４は同一形状に加工され、第２バンド部材８０３と第４バンド部材８０５は同一形状に加工され、また、第５バンド部材８０６と第６バンド部材８０７は同一形状に加工されている。
【００４３】
支持部材８０１は、固定具８０に付帯設備である避雷針１５を取り付けるためのものであって、図１２〜図１４に示すように、第１アングル材７０１の一方の辺７０１Ａと第２アングル材７０２の一方の辺７０２Ａ同士間に形成された隙間を第１アングル材８０２及び第２アングル材８０３の長さ方向と直交する方向に挿通して配置されている。
【００４４】
第１及び第２バンド補助部材８０８と８０９は、支持部材８０１を第１〜第６バンド部材８０２〜８０７により第１及び第２アングル材７０１及び７０２に固定する際の補助的機能を発揮させるとともに避雷針１５を含む支持部材８０１の支持に兼用されるもので、それぞれは短冊状の鋼板材から成形される。
上述の機能を発揮させるために、第１バンド補助部材８０８は、図１３に示すように、第１アングル材７０１の内側に両辺７０１Ａと７０１Ｂが形成する角度を二分するようにして、第１アングル材７０１の内側角部７０１Ｃから離間する方向に延在して配置されている。また、第２バンド補助部材８０９は、第２アングル材７０２の内側に両辺７０２Ａと７０２Ｂが形成する角度を二分するようにして、第２アングル材７０２の内側角部７０２Ｃから離間する方向に延在して配置されている。
【００４５】
第１バンド部材８０２は、第１アングル材７０１の一方の辺７０１Ａと第２アングル材７０２の一方の辺７０２Ａ間の隙間から外側へ突出する支持部材８０１の一端部８０１Ａと第１バンド補助部材８０８の先端部との間に配置されるもので、この第１バンド部材８０２は、その一端に第１バンド補助部材８０８の先端部に固定される固定片８０２Ａを有し、他端には支持部材８０１を介して第３バンド部材８０４と連結される連結片８０２Ｂを有しており、さらに第１バンド部材８０２自体の剛性を増大するための補強用リブ８０２Ｃを有している。
【００４６】
第２バンド部材８０３は、第１バンド補助部材８０８の先端部と第５バンド部材８０６の一端との間に配置されるもので、この第２バンド部材８０３は、その一端に第１バンド補助部材８０８の先端部に固定される固定片８０３Ａを有し、第２バンド部材８０３の他端８０３Ｂは第５バンド部材８０６の一端と連結し得るように対峙されている。さらに第２バンド部材８０３は、それ自体の剛性を増大するための補強用リブ８０３Ｃを有している。
【００４７】
第３バンド部材８０４は、支持部材８０１の一端部８０１Ａと第４バンド補助部材８０５の先端部との間に配置されるもので、第３バンド部材８０４は、その一端に第２バンド補助部材８０９の先端部に固定される固定片８０４Ａを有し、他端には支持部材８０１を介して第１バンド部材８０２と連結される連結片８０４Ｂを有しており、さらに第３バンド部材８０４自体の剛性を増大するための補強用リブ８０４Ｃを有している。
【００４８】
第４バンド部材８０５は、第２バンド補助部材８０９の先端部と第６バンド部材８０７の一端との間に配置されるもので、この第４バンド部材８０５は、その一端に第２バンド補助部材８０９の先端部に固定される固定片８０５Ａを有し、第４バンド部材８０５の他端８０５Ｂは第６バンド部材８０７の一端と連結し得るように対峙されている。さらに第４バンド部材８０５は、それ自体の剛性を増大するための補強用リブ８０５Ｃを有している。
【００４９】
第５バンド部材８０６は、第１アングル材７０１の一方の辺７０１Ａと第２アングル材７０２の一方の辺７０２Ａ間の隙間から外側へ突出する支持部材８０１の一端部８０１Ａと反対の側へ突出する支持部材８０１の突出部位と第２バンド部材８０３の他端８０３Ｂとの間に配置されるもので、この第５バンド部材８０６は、その一端に支持部材８０１の一端部８０１Ａと反対の突出部位に固定される固定片８０６Ａを有し、第５バンド部材８０６の他端には第２バンド部材８０３の他端８０３Ｂと連結される連結片８０６Ｂを有しており、さらに第５バンド部材８０６自体の剛性を増大するための補強用リブ８０６Ｃを有している。
【００５０】
第６バンド部材８０７は、第１アングル材７０１の一方の辺７０１Ａと第２アングル材７０２の一方の辺７０２Ａ間の隙間から外側へ突出する支持部材８０１の一端部８０１Ａと反対の側へ突出する支持部材８０１の突出部位と第４バンド部材８０５の他端８０５Ｂとの間に配置されるもので、この第６バンド部材８０７は、その一端には支持部材８０１の一端部８０１Ａと反対の側へ突出する突出部位に固定される固定片８０７Ａを有し、第６バンド部材８０７の他端には第４バンド部材８０５の他端８０５Ｂと連結される連結片８０７Ｂを有しており、さらに第６バンド部材８０７自体の剛性を増大するための補強用リブ８０７Ｃを有している。
【００５１】
第１結合用ボルト・ナット８１０は、第１アングル材７０１の両辺７０１Ａ及び７０１Ｂと対向する内側で、第１バンド補助部材８０８の先端部を第１バンド部材８０２の固定部８０２Ａと第２バンド部材８０３の固定部８０３Ａとで挟持した状態で、これら両固定部８０２Ａ及び８０３Ａを第１バンド補助部材８０８の先端部に固定し一体化するものであり、締め付けナット８１０ａとロックナット８１０ｂを有するダブルナット式の高力ボルト・ナットから構成されている。
第２結合用ボルト・ナット８１１は、第２アングル材７０２の両辺７０２Ａ及び７０２Ｂと対向する内側で、第２バンド補助部材８０９の先端部を第３バンド部材８０４の固定部８０４Ａと第４バンド部材８０５の固定部８０５Ａとで挟持した状態で、これら両固定部８０４Ａ及び８０５Ａを第２バンド補助部材８０９の先端部に固定し一体化するものであり、締め付けナット８１１ａとロックナット８１１ｂを有するダブルナット式の高力ボルト・ナットから構成されている。
第３結合用ボルト・ナット８１２は、支持部材８０１の一端部８０１Ａと反対の側へ突出する突出部位を第５バンド部材８０６の固定部８０６Ａと第６バンド部材８０７の固定部８０７Ａとで挟持した状態で、これら両固定部８０６Ａ及び８０７Ａを支持部材８０１に固定し一体化するものであり、締め付けナット８１２ａとロックナット８１２ｂを有するダブルナット式の高力ボルト・ナットから構成されている。
【００５２】
第１締め付け用ボルト・ナット８１３は、支持部材８０１の一端部８０１Ａの両面に隙間を介して相対向される第１バンド部材８０２の連結片８０２Ｂと第３バンド部材８０４の連結片８０４Ｂを互いに支持部材８０１の一端部８０１Ａに接近する方向に締め付けることにより、第１バンド補助部材８０８の他端部８０８ａを第１アングル材７０１の両辺７０１Ａ、７０１Ｂが形成する内側角部７０１Ｃに第１バンド部材８０２を介して押圧し、同時に第２バンド補助部材８０９の他端部８０９ａを第２アングル材７０２の両辺７０２Ａ、７０２Ｂが形成する内側角部７０２Ｃに第３バンド部材８０４を介して押圧し、支持部材８０１を第１及び第２アングル材７０１と７０２に固定するものであり、締め付けナット８１３ａとロックナット８１３ｂを有するダブルナット式の高力ボルト・ナットから構成されている。
第２締め付け用ボルト・ナット８１４は、隙間を介して相対向される第２バンド部材８０３の他端８０３Ｂと第５バンド部材８０６の連結片８０６Ｂを互いに接近する方向に締め付けることにより、第１バンド補助部材８０８の他端部８０８ａを第１アングル材７０１の両辺７０１Ａ、７０１Ｂが形成する内側角部７０１Ｃに第２バンド部材８０３を介して押圧し、支持部材８０１を第１及び第２アングル材７０１と７０２に固定するものであり、締め付けナット８１４ａとロックナット８１４ｂを有するダブルナット式の高力ボルト・ナットから構成されている。
第３締め付け用ボルト・ナット８１５は、隙間を介して相対向される第４バンド部材８０５の他端８０５Ｂと第６バンド部材８０７の連結片８０７Ｂを互いに接近する方向に締め付けることにより、第２バンド補助部材８０９の他端部８０９ａを第２アングル材７０２の両辺７０２Ａ、７０２Ｂが形成する内側角部７０２Ｃに第４バンド部材８０５を介して押圧し、支持部材８０１を第１及び第２アングル材７０１と７０２に固定するものであり、締め付けナット８１５ａとロックナット８１５ｂを有するダブルナット式の高力ボルト・ナットから構成されている。
【００５３】
避雷針１５は、図１１に示すように、所定長さの筒状の支柱９１の先端に取り付けられている。また、支柱９１は、図１１及び図１３に示すように、支柱９１は、その下端外周に溶接により接合された補強用リブ９２Ａ付きの取付部９２を有し、この取付部９２を支持部材８０１の一端部８０１Ａと反対の先端部にダブルナット式の高力ボルト・ナットからなるボルト・ナット９３により取り付けることで、避雷針１５を第１及び第２アングル材７０１と７０２に一体に固定できるように構成されている。
【００５４】
次に、上記のように構成された付帯設備取付装置６０を用いて、避雷針１５を既存のパラレル型山形鋼集成体によって構成された斜め支持材７０に固定する場合の一例について説明する。
まず、現地の作業場所などにおいて、第１バンド補助部材８０８の先端部両面に第１バンド部材８０２の固定部８０２Ａと第２バンド部材８０３の固定部８０３Ａを重ね合わせた後、これらのボルト挿通孔（図示省略）に第１結合用ボルト・ナット８１０のボルトを挿通し、その挿通端に締め付けナット８１０ａとロックナット８１０ｂを螺合して図１３に示すような状態に仮組立てする。
同様に、第２バンド補助部材８０９の先端部両面に第３バンド部材８０４の固定部８０４Ａと第４バンド部材８０５の固定部８０５Ａを重ね合わせた後、これらのボルト挿通孔（図示省略）に第２結合用ボルト・ナット８１１のボルトを挿通し、その挿通端に締め付けナット８１１ａとロックナット８１１ｂを螺合して図１３に示すような状態に仮組立てする。
さらに、支持部材８０１の一端部８０１Ａと反対側の両面に第５バンド部材８０６の固定部８０６Ａと第６バンド部材８０７の固定部８０７Ａを重ね合わせた後、これらのボルト挿通孔（図示省略）に第３結合用ボルト・ナット８１２のボルトを挿通し、その挿通端に締め付けナット８１２ａとロックナット８１２ｂを螺合して図１３に示すような状態に仮組立てする。
【００５５】
次に、仮組立てされた支持部材８０１をその一端部８０１Ａ側から第１アングル材７０１の一方の辺７０１Ａと第２アングル材７０２の一方の辺７０２Ａで形成された隙間に差し込み、第５バンド部材８０５が第１アングル材７０１の他方の辺７０１Ｂの外側面に当接し、かつ第６バンド部材８０６が第２アングル材７０２の他方の辺７０２Ｂの外側面に当接する図１３に示す状態に配置する。この状態で、仮組立てされた第１バンド補助部材８０８の他端が第１アングル材７０１の内側角部７０１Ｃに当接され、かつ第１バンド部材８０２の連結片８０２Ｂが支持部材８０１の一端部８０１Ａと対向し、第２バンド部材８０３の他端８０３Ｂが第５バンド部材８０６の連結片８０６Ｂと対向するように図１３に示す状態に配置する。
次いで、仮組立てされた第２バンド補助部材８０９の他端が第２アングル材７０２の内側角部７０２Ｃに当接され、かつ第３バンド部材８０４の連結片８０４Ｂが支持部材８０１の一端部８０１Ａと対向し、さらに第４バンド部材８０５の他端８０５Ｂが第６バンド部材８０７の連結片８０７Ｂと対向するように図１３に示す状態に配置する。
【００５６】
次に、支持部材８０１の一端部８０１Ａの両面に隙間を介して相対向される第１バンド部材８０２の連結片８０２Ｂと第３バンド部材８０４の連結片８０４Ｂに形成されているボルト挿通孔（図示省略）に第１締め付け用ボルト・ナット８１３のボルトを挿通し、その挿通端に締め付けナット８１３ａとロックナット８１３ｂを螺合することにより第１バンド部材８０２と第３バンド部材８０４とを仮連結する。
さらに、第２バンド部材８０３の他端８０２Ｂと第５バンド部材８０６の連結片８０６Ｂに形成されているボルト挿通孔（図示省略）に第２締め付け用ボルト・ナット８１４のボルトを挿通し、その挿通端に締め付けナット８１４ａとロックナット８１４ｂを螺合することにより第２バンド部材８０２と第５バンド部材８０６とを仮連結する。
同様に、第４バンド部材８０５の他端８０５Ｂと第６バンド部材８０７の連結片８０７Ｂに形成されているボルト挿通孔（図示省略）に第３締め付け用ボルト・ナット８１５のボルトを挿通し、その挿通端に締め付けナット８１５ａとロックナット８１５ｂを螺合することにより第４バンド部材８０５と第６バンド部材８０７とを仮連結する。
【００５７】
次に、仮連結されている第１バンド部材８０２の連結片８０２Ｂと第３バンド部材８０４の連結片８０４Ｂを締め付けナット８１３ａで互いに支持部材８０１の一端部８０１Ａに接近する方向に締め付けることにより、第１バンド補助部材８０８の他端部８０８ａを第１アングル材７０１の内側角部７０１Ｃに第１バンド部材８０２を介して押圧し、同時に第２バンド補助部材８０９の他端部８０９ａを第２アングル材７０２の内側角部７０２Ｃに第３バンド部材８０４を介して押圧する。
さらに、仮連結されている第２バンド部材８０３の他端８０３Ｂと第５バンド部材８０６の連結片８０６Ｂを締め付けナット８１４ａで互いに接近する方向に締め付けることにより、第１バンド補助部材８０８の他端部８０８ａを第１アングル材７０１の内側角部７０１Ｃに第２バンド部材８０３を介して更に押圧する。
さらに、仮連結されている第４バンド部材８０５の他端８０５Ｂと第６バンド部材８０７の連結片８０７Ｂを締め付けナット８１５ａで互いに接近する方向に締め付けることにより、第２バンド補助部材８０９の他端部８０９ａを第２アングル材７０２の内側角部７０２Ｃに第４バンド部材８０５を介して更に押圧する。
【００５８】
この状態では、第１バンド補助部材８０８の他端部８０８ａは第１アングル材７０１の内側角部７０１Ｃに強力に押圧されるとともに第２バンド補助部材８０９の他端部８０９ａも第２アングル材７０２の内側角部７０２Ｃに強力に押圧される。これと同時に第２締め付け用ボルト・ナット８１４の締め付け力と第３締め付け用ボルト・ナット８１５の締め付け力を利用して第５バンド部材８０６を第１アングル材７０１の他方の辺７０１Ｂの外側面に圧接し、かつ第６バンド部材８０７を第２アングル材７０２の他方の辺７０２Ｂの外側面に圧接させる。これにより、支持部材８０１を第１アングル材７０１と第２アングル材７０２に固定し一体化することができる。
上述のように支持部材８０１が第１アングル材７０１及び第２アングル材７０２に確実に固定された状態では、第１結合用ボルト・ナット８１０のロックナット８１０ｂ、第２結合用ボルト・ナット８１１のロックナット８１１ｂ及び第３結合用ボルト・ナット８１２のロックナット８１２ｂをそれぞれ締め付けることにより、それぞれの締め付けナットの廻り止めを行う。さらに、第１締め付け用ボルト・ナット８１３のロックナット８１３ｂ、第２締め付け用ボルト・ナット８１４のロックナット８１４ｂ及び第３締め付け用ボルト・ナット８１５のロックナット８１５ｂをそれぞれ締め付けることにより、それぞれの締め付けナットの廻り止めを行う。
【００５９】
上述のように第１及び第２アングル材７０１及び７０２に固定された固定具８０に避雷針１５の支柱９１を取り付ける場合は、支柱９１の取付部９２を支持部材８０１の一端部８０１Ａと反対の先端部にボルト・ナット９３により取り付けることより、避雷針１５を第１及び第２アングル材７０１と７０２に組付けることができる。この場合、支柱９１を第１及び第２アングル材７０１と７０２に固定するための固定具６０の数は１つに限らず、避雷針１５の機能や規模及び設置場所等に応じて複数用いられることは勿論である。
また、第１及び第２アングル材７０１と７０２に付帯設備取付装置８０を取り付ける手順は、上述した方式に限定されないことは勿論であり、付帯設備取付装置８０が取り付けられる鉄塔の環境や鉄塔への取り付け箇所等に応じて変更されるものである。
【００６０】
上記のような第３の実施の形態に示す付帯設備取付装置６０によれば、第１及び第２バンド補助部材８０８及び８０９と第１〜第６バンド部材８０２〜８０７を備えてなる固定具８０を用いることにより、既存鉄塔のパラレル型山形鋼集成体を構成する第１及び第２アングル材７０１と７０２に避雷針１５を取り付ける際に、第１及び第２アングル材７０１と７０２自体に何らの加工を施すことなく、現地で容易に取り付けることができ、併せて第１及び第２アングル材７０１と７０２に対して避雷針１５を含む支柱９１の取り付け保持力を半永久的に確保することができる。
さらに、本実施の形態によれば、第１の実施の形態と同様に既存鉄塔への避雷針１５を含む支柱９１の取り付け工事の効率化及び低コスト化を実現できるとともに、第１の実施の形態と同様に固定具８０と第１及び第２アングル材７０１と７０２との一体化を、より強固にすることができる。
【００６１】
なお、第３の実施の形態では、パラレル型山形鋼集成体が第１アングル材７０１と第２アングル材７０２とで構成されると記載したが、これを特許請求の範囲では、パラレル型山形鋼集成体が「それぞれ断面がＬ形を呈する両辺を有する２つのアングル材を、それらアングル材の一方の辺同士間に隙間を介在させて互いに平行に配列されるように組み合わせてなる」と記載した。
【００６２】
また、第３の実施の形態では、第１アングル材７０１の両辺の内側にその両辺が形成する角度を二分するように配置されるバンド補助部材を第１バンド補助部材８０８と記載し、第２アングル材７０２の両辺の内側にその両辺が形成する角度を二分するように配置されるバンド補助部材を第２バンド補助部材８０８と記載したが、これを特許請求の範囲では、「前記各アングル材の両辺の内側に前記アングル材の両辺が形成する角度を二分するようにそれぞれ配置される２つのバンド補助部材」と記載した。
また、第３の実施の形態では、第１バンド補助部材８０８の先端部と支持部材８０１の一端部間に配置されるバンド部材を第１バンド部材８０２と記載し、第２バンド補助部材８０９の先端部と支持部材８０１の一端部間に配置される、第１バンド部材８０２と同一形状のバンド部材を第３バンド部材８０４と記載したが、これを特許請求の範囲では、「前記各アングル材の両辺の内側から外側へ突出する前記各バンド補助部材の先端部と前記支持部材の一端部間にそれぞれ配置されその一端部が前記各バンド補助部材の先端部に結合用ボルト・ナットにより結合されその他端部が前記支持部材に対向する２つの第１バンド部材」と記載した。
また、第３の実施の形態では、第１バンド補助部材８０８の先端部と第５バンド部材８０６の他端部間に配置されたバンド部材を第２バンド部材８０３と記載し、第２バンド補助部材８０９の先端部と第５バンド部材８０６の他端部間に配置される、第２バンド部材８０３と同一形状のバンド部材を第４バンド部材８０５と記載したが、これを特許請求の範囲では、「前記各アングル材の両辺の内側から外側へ突出する前記各バンド補助部材の先端部で前記第１バンド部材が結合された面と反対の面にその一端部が前記結合用ボルト・ナットにより結合されその他端部が前記２つのアングル部材の外側に突出する前記支持部材の箇所に対向する２つの第２バンド部材」と記載した。
また、第３の実施の形態では、第２バンド部材８０６の他端部と支持部材８０１の他端部間に配置されるバンド部材を第５バンド部材８０６と記載し、第４バンド部材８０５の他端部と支持部材８０１の他端部間に配置される、第５バンド部材８０６と同一形状のバンド部材を第６バンド部材８０７と記載したが、これを特許請求の範囲では、「前記隙間から前記２つのアングル部材の外側に突出する前記支持部材の箇所にその一端部が結合用ボルト・ナットにより結合され前記各アングル材の他方の辺にそれぞれ密着されその他端部が前記第２バンド部材の他端部に対向する２つの第３バンド部材」と記載した。
【００６３】
また、第３の実施の形態では、第２バンド部材８０３の他端８０３Ｂと第５バンド部材８０６の連結片８０６Ｂを互いに接近する方向に締め付ける締め付け用ボルト・ナットを第２締め付け用ボルト・ナット８１４と記載し、第４バンド部材８０５の他端８０５Ｂと第６バンド部材８０７の連結片８０７Ｂを互いに接近する方向に締め付ける締め付け用ボルト・ナットを第３締め付け用ボルト・ナット８１５と記載したが、これを特許請求の範囲では、「前記各第２バンド部材の他端部と前記各第３バンド部材の他端部を近接する方向に締め付ける第２締め付けボルト・ナット」と記載した。
【００６４】
本発明に係る付帯設備取付装置は、上記実施の形態に示す鉄塔へのアンテナや避雷針の取り付けに限定されず、山形鋼材からなるアングル材またはパラレル型山形鋼集成体を構成する一対のアングル鋼材を用いた構造物にアンテナや避雷針を含むその他の付帯設備の取り付けにも適用できることは勿論であり、特許請求の範囲に記載した要件を逸脱しない範囲において種々変更することは勿論である。
【符号の説明】
【００６５】
１０…アンテナ用鉄塔
１２…アングル材
１５…避雷針
２０…付帯設備取付装置
３０…固定具
３０１…第１バンド部材
３０２…第２バンド部材
３０３…バンド補助部材
３０４…結合用ボルト・ナット
３０５…締め付け用ボルト・ナット
３０６…支持体
４１…送／受信用アンテナ
４２…アンテナ取付支柱
５０…付帯設備取付装置
５２…支持体
６０…付帯設備取付装置
７０…斜め支持材
７０１…第１アングル材
７０２…第２アングル材
８０…固定具
８０１…支持部材
８０２…第１バンド部材
８０３…第２バンド部材
８０４…第３バンド部材
８０５…第４バンド部材
８０６…第５バンド部材
８０７…第６バンド部材
８０８…第１バンド補助部材
８０９…第２バンド補助部材
８１０…第１結合用ボルト・ナット
８１１…第２結合用ボルト・ナット
８１２…第３結合用ボルト・ナット
８１３…第１締め付け用ボルト・ナット
８１４…第２締め付け用ボルト・ナット
８１５…第３締め付け用ボルト・ナット
【図１】
2018080482.tif 000003
【図２】
2018080482.tif 000004
【図３】
2018080482.tif 000005
【図４】
2018080482.tif 000006
【図５】
2018080482.tif 000007
【図６】
2018080482.tif 000008
【図７】
2018080482.tif 000009
【図８】
2018080482.tif 000010
【図９】
2018080482.tif 000011
【図１０】
2018080482.tif 000012
【図１１】
2018080482.tif 000013
【図１２】
2018080482.tif 000014
【図１３】
2018080482.tif 000015
【図１４】
2018080482.tif 000016